(57)【要約】【課題】  衛生的で、水洗トイレへの取付けによっても使用者の邪魔になることがなく、かつ、経済的で、しかもエアゾル缶の交換が容易な水洗トイレ用噴霧装置を提供すること。【解決手段】  噴霧装置本体１と、該噴霧装置本体１に収納されるエアゾル缶２と、前記噴霧装置本体１が有する噴射レバー１４を押圧してエアゾル缶２からの噴霧を行う水洗レバーキャップ３とから構成され、前記噴霧装置本体１は、水洗タンクＴへ係止するためのフックＦと、エアゾル缶２を収納するためのエアゾル缶収納部Ｒと、該エアゾル缶収納部Ｒの上方に設けられ、エアゾル缶２の噴射ボタン２１を押圧する噴射レバー１４とを有し、前記水洗レバーキャップ３は、水洗トイレに設けられる水洗レバーＬを収納する収納部３１と、前記噴射レバー１４を押圧する押圧部３２とを有し、前記水洗レバーキャップ３の押圧部３２が噴射レバー１４を押圧することによって、該噴射レバー１４がエアゾル缶２の噴射ボタン２１を押圧し、噴霧を行うことを特徴とする。【選択図】  図４
2006241903.tif 000002
【特許請求の範囲】
【請求項１】
噴霧装置本体と、該噴霧装置本体に収納されるエアゾル缶と、前記噴霧装置本体が有する噴射レバーを押圧してエアゾル缶からの噴霧を行う水洗レバーキャップとから構成され、
前記噴霧装置本体は、水洗タンクへ係止するためのフックと、エアゾル缶を収納するためのエアゾル缶収納部と、該エアゾル缶収納部の上方に設けられ、エアゾル缶の噴射ボタンを押圧する噴射レバーとを有し、
前記水洗レバーキャップは、水洗トイレに設けられる水洗レバーを収納する収納部と、前記噴射レバーを押圧する押圧部とを有し、
前記水洗レバーキャップの押圧部が噴射レバーを押圧することによって、該噴射レバーがエアゾル缶の噴射ボタンを押圧し、噴霧を行うことを特徴とする水洗トイレ用噴霧装置。
【請求項２】
前記水洗レバーキャップの押圧部は、一方向に回動した際には噴射レバーを押圧し、他方向に回動した際には噴射レバーを押圧しないことを特徴とする請求項１記載の水洗トイレ用噴霧装置。
【請求項３】
前記噴射レバーは、ヒンジ部を介して噴射装置本体に取付けられていることを特徴とする請求項１又は請求項２記載の水洗トイレ用噴霧装置。
【発明の詳細な説明】
【技術分野】
【０００１】
本発明は、水洗トイレ用の噴霧装置に関し、詳しくは、取付けが容易かつ安価で、消臭剤、芳香剤，殺菌剤等を自動的に噴霧できる水洗トイレ用の噴霧装置に関するものである。
【背景技術】
【０００２】
トイレ用の消臭剤、芳香剤、殺菌剤等（以下、単に消臭剤等と称する。）は、取り扱いの容易さ等からエアゾル缶にて販売されているものが多い。このエアゾル缶は、噴射口を有する噴射ボタンを押圧することにより，エアゾルのバルブを作動させて噴霧するものである。
【０００３】
従来においては、エアゾル缶を自動的に噴射させる各種のトイレ用の自動噴霧装置が提案されている。
例えば、特許文献１のように、洋式便器の上端周縁にエアゾル缶を取付けたトイレ消臭具を嵌め、使用者が便座に座るとその体重によって便座を介してエアゾル缶の噴射ボタンが押圧され、消臭剤等が噴霧されるものがある。
【０００４】
また、特許文献２のように、水洗トイレの手洗い蛇口から水洗タンクへの水の流れを利用してエアゾル缶の自動噴霧を行うものもある。
さらに、特許文献３のように、ドア等にエアゾル缶を取付け、トイレ等への入退出時に、エアゾル缶の噴射ボタンを押すようにしたものもある。
【特許文献１】実用新案登録第３０２２２９５号公報
【特許文献２】特開２００３−６４７５３号公報
【特許文献３】実開平５−９５６６７号公報
【発明の開示】
【発明が解決しようとする課題】
【０００５】
しかしながら、特許文献１には、洋式便器にのみ限定されるという問題があった。また、便器の上端周縁に取付けるため、排泄物の飛散等による汚れが付着し易いという衛生面での問題もあった。
また、特許文献２には、水洗トイレの手洗い蛇口から水洗タンクへの水の流れを利用するものであるため、装置によって手洗いのスペースが狭まり或いは無くなるという問題があった。また、小便のときにも消臭剤等が噴霧されるため、非経済的であるという問題もあった。
【０００６】
さらに、特許文献３のようにドア等に取付けるタイプのものは、入退室時にエアゾル缶が邪魔になる。また、ドア等の上部のような高所に取付けた場合には、エアゾル缶の交換が子供や年寄りには容易に行えないという問題もあった。さらに、小便のときにも消臭剤等が噴霧されるため、非経済的であるという問題もあった。
そこで、本発明は、衛生的で、水洗トイレへの取付けによっても使用者の邪魔になることがなく、かつ、経済的で、しかもエアゾル缶の交換が容易な水洗トイレ用の噴霧装置を提供することにある。
【課題を解決するための手段】
【０００７】
上記課題を解決するためになされた本発明は、噴霧装置本体と、該噴霧装置本体に収納されるエアゾル缶と、前記噴霧装置本体が有する噴射レバーを押圧してエアゾル缶からの噴霧を行う水洗レバーキャップとから構成され、前記噴霧装置本体は、水洗タンクへ係止するためのフックと、エアゾル缶を収納するためのエアゾル缶収納部と、該エアゾル缶収納部の上方に設けられ、エアゾル缶の噴射ボタンを押圧する噴射レバーとを有し、前記水洗レバーキャップは、水洗トイレに設けられる水洗レバーを収納する収納部と、前記噴射レバーを押圧する押圧部とを有し、前記水洗レバーキャップの押圧部が噴射レバーを押圧することによって、該噴射レバーがエアゾル缶の噴射ボタンを押圧し、噴霧を行うことを基本的な構成とする。
【０００８】
また、前記水洗レバーキャップの押圧部は、一方向に回動した際には噴射レバーを押圧し、他方向に回動した際には噴射レバーを押圧しないことが望ましい。
さらに、前記噴射レバーは、ヒンジ部を介して噴射装置本体に取付けられていることが望ましい。
【発明の効果】
【０００９】
本発明の水洗トイレ用噴霧装置は、上記構成を備えているため、水洗レバーキャップ（水洗レバー）の回動操作をすれば、自動的にエアゾル缶の消臭剤等が噴霧されるため、消臭剤等の噴霧を忘れることがない。
また、水洗レバーキャップの押圧部を一方向に回動させた場合にのみ、例えば大便のときのみに噴射レバーを押圧するように構成されているため、より経済的である。
【００１０】
さらに、簡単な作業で水洗トイレへの取付けができ、さらに、水洗タンクへの取付けであるため衛生的で、かつ、手洗いのスペース等が無くなることもない。さらにまた、洋式便所に限らず、和式便所であっても水洗レバーの構造等の規格が合致すれば、取付けることができる。
【００１１】
さらにまた、前記噴射レバーは、ヒンジ部を介して噴射装置本体に取付けられ、エアゾル缶の交換時には前記ヒンジ部により、前記噴射レバーを起き上がらせ、簡単にエアゾル缶の交換ができる。
【発明を実施するための最良の形態】
【００１２】
以下、本発明に係る水洗トイレ用噴霧装置の実施形態を図面を参照しながら説明する。
ここで、図１は本発明に係る水洗トイレ用噴霧装置の正面図、図２は図１の斜視図、図３は水洗レバー用キャップの説明図、図４は本発明に係る水洗トイレ用噴霧装置の作用を説明する図である。
【００１３】
本発明に係る水洗トイレ用噴霧装置は、噴霧装置本体１と、この噴霧装置本体１に収納されるエアゾル缶２と、前記噴霧装置本体１が有する後述の噴射レバー１４を押圧してエアゾル缶２からの噴霧を行うための水洗レバーキャップ３とから構成されている。
【００１４】
まず、前記噴霧装置本体１は、上部に水洗タンクＴへ係止するためのフックＦが形成された固定プレート１１を有する。該固定プレート１１の下部には、断面半円状に湾曲させた湾曲プレート１２を取付け、前記固定プレート１１と湾曲プレート１２とで形成される下部開口を底プレート１３で塞ぐことにより、エアゾル缶２を収納するエアゾル缶収納部Ｒが形成されている。
【００１５】
また、図１において、エアゾル缶収納部Ｒの上部で、固定プレート１１の右側端部には、噴射レバー１４がヒンジ部１５を介して取付けプレート１６によって取付けられている。
この噴射レバー１４は、エアゾル缶収納部Ｒに収納されるエアゾル缶２の噴射ボタン２１を押すためのものであり、その下面側にはエアゾル缶２の噴射ボタン２１に対応した位置に押圧突起１４ａが形成されている。
【００１６】
ここで、本発明に用いるエアゾル缶２には、噴射ボタン２１を押圧することにより噴射口２２から内容物を噴射する市販のものを用いることができる。なお、エアゾル缶２の内容物は、前述のごとく消臭剤、芳香剤または殺菌剤等またはそれらの作用を併せ持つ薬剤である。
【００１７】
次に、図３に示す水洗レバーキャップについて説明する。
水洗レバーキャップ３は、外観形状は水洗トイレの水洗レバーＬとほぼ同一であるが、水洗レバーＬに被せるような形で取付けられるものであるため、水洗レバーＬよりも若干大きめに形成されている。
その構成は、水洗レバーＬに被せることにより、その内部に水洗レバーＬを収納する水洗レバー収納部３１と、前記噴射装置本体１の噴射レバーを押圧する押圧部３２とからなる。なお、この押圧部３２は、図３（ｂ）の側面図に示すように取っ手部分３１ａの延長線上に形成され、かつ、図３（ｃ）の平面図に示すように取っ手部分３１ａより右側にずらして形成され、前記噴射装置本体１の噴射レバー１４を押圧することができるようになっている。
【００１８】
次に、本発明に係る水洗トイレ用噴霧装置の使用について図４を用いて説明する。
まず、水洗レバーＬに両面テープ等を用いて水洗レバーキャップ３を取付ける。
また、水洗タンクＴの蓋Ｔ１を外し、噴霧装置本体１のフックＦを水洗タンクＴの縁部に係止した後、蓋Ｔ１を戻す。この際、水洗レバーキャップ３（水洗レバーＬ）を回動操作した場合に、押圧部３２が噴射レバー１４を押圧できる位置に噴霧装置本体１を係止することが必要である。
さらに、噴霧装置本体１のエアゾル缶収納部Ｒにエアゾル缶２を収納する。
【００１９】
このような簡単な作業で本発明に係る水洗トイレ用の噴霧装置の取付けが完了する。また、水洗タンクＴへの取付けであるため衛生的で、かつ、手洗いのスペース等が無くなることもない。さらに、洋式便所に限らず、和式便所であっても水洗レバーＬの構造等の規格が合致すれば、取付けることができる。
【００２０】
次に、噴霧作用について説明すると、使用者が大便終了後にトイレに水を流すために、図４に点線で示す位置にある水洗レバーキャップ３の取っ手部分３１ａを矢印方向（時計方向）に回動操作する。この操作により、当初水洗用の水が放出されると共に、取っ手部分３１ａの延長線上に設けられた押圧部３２が噴霧レバー１４を押圧する。
この噴霧レバー１４への押圧により、噴霧レバー１４の下面側に設けられる押圧突起１４ａが、エアゾル缶収納部Ｒ内のエアゾル缶２の噴射ボタン２１を押圧する。これによって、エアゾル缶２の噴射口２２から消臭剤等が噴霧されることになる。
【００２１】
そして、使用者が水洗レバーキャップ３（水洗レバーＬ）から手を離すとレバーは戻り、噴射レバー１４の押圧も無くなり、エアゾル缶２の噴霧も終了する。
このように、水洗トイレに水を流すために水洗レバーキャップ３（水洗レバーＬ）の操作をすれば、自動的にエアゾル缶２の消臭剤等が噴霧されるため、消臭剤等の噴霧を忘れることがない。
尚、小便終了後は、水洗レバーキャップ３（水洗レバーＬ）を前記の場合と逆方向（反時計方向）に回動操作することになるため、前記押圧部３２は噴霧レバーを押圧することがなく、消臭剤等が噴霧されることがない。
【００２２】
また、エアゾル缶２内の消臭剤等の内容物が無くなった場合には、噴射レバー１４はヒンジ部１５を介して取付けられているため、噴射レバー１４を起き上がらせることにより、簡単にエアゾル缶２の交換ができる。
【００２３】
以上の実施形態においては、大便・小便により水洗レバーの回動方向が異なる水洗トイレを用いて説明したが、大便・小便で水洗レバーの回動方向が同一の水洗トイレであっても、図４に示す矢印方向（時計方向）に回動するものであれば適用できることは言うまでもない。
また、エアゾル缶２の噴射口２２の方向が、水洗レバーキャップ３側に向いている場合を示したが、本発明は特にこれに限定されるものではなく、任意の方向に向けても良い。
【図面の簡単な説明】
【００２４】
【図１】本発明に係る水洗トイレ用噴霧装置の正面図である。
【図２】図１の斜視図である。
【図３】水洗レバー用キャップの説明図である。
【図４】本発明に係る水洗トイレ用噴霧装置の作用を説明するである。
【符号の説明】
【００２５】
１        噴射装置本体
１１      固定プレート
１２      湾曲プレート
１３      底プレート
１４      噴射レバー
１４ａ    押圧突起
１５      ヒンジ部
１６      取付けプレート
Ｆ        フック
Ｒ        エアゾル缶収納部
２        エアゾル缶
２１      噴射ボタン
２２      噴射口
３        水洗レバーキャップ
３１      収納部
３２      押圧部
【図１】
2006241903.tif 000003
【図２】
2006241903.tif 000004
【図３】
2006241903.tif 000005
【図４】
2006241903.tif 000006